(57)【要約】【課題】ＬＥＤラインランプにおいて、ＬＥＤ照明部が任意の位置へ回動設定された状態の継続的な安定化、ＬＥＤ素子の放熱作用部の有効利用化、および照射光のちらつき感の除去化を図る。【解決手段】電源端子１ｄを備えた固定基部１（および環状保持部材２）と、これに対して回動可能なＬＥＤ照明部（３，４，５，６，７）とを、それぞれの弾性変位可能な外向き係合要素２ｄと歯車３ｄとの間で節度係合させた。ＬＥＤ素子搭載のＬＥＤ基板６およびＬＥＤ素子の放熱作用部５の両部材を一体化する際にカシメ加工をほどこして、例えばＬＥＤ素子の取替えの際にはＬＥＤ基板６を放熱作用部５から取り外し可能とした。ＬＥＤ素子への供給電源として、電源端子１ｄに供給される交流電源を電源回路ユニット７で整流してから周波数変換した形の高周波電源を用いた。【選択図】図１
0003176594.tif 000002
【実用新案登録請求の範囲】
【請求項１】
電源側に設定される固定基部にＬＥＤ照明部が回動可能な形で取り付けられたＬＥＤラインランプにおいて、
前記固定基部は、
前記電源側のコンセントに挿し込まれる電源端子と、
前記ＬＥＤ照明部の回動位置を保持する保持作用部と、を備え、
前記回動可能なＬＥＤ照明部は、
前記保持作用部に対して選択的な回動状態で係止される被保持作用部と、
前記電源端子から電源が供給されるＬＥＤ素子を搭載したＬＥＤ基板と、
当該ＬＥＤ基板の上方側に配設された放熱作用部と、
当該ＬＥＤ基板の下方側に配設されて、当該ＬＥＤ素子の出力光の拡散作用および白色化作用を呈する照明光調整部と、を備え、
前記被保持作用部，前記ＬＥＤ基板，前記放熱作用部および前記照明光調整部は一体化されて、前記ＬＥＤ照明部の全体が回動し、
前記保持作用部および前記被保持作用部が節度係合している、
ことを特徴とする請求項１記載のＬＥＤラインランプ。
【請求項２】
前記回動可能なＬＥＤ照明部は、
前記放熱作用部および前記照明光調整部からなる直線状の筒状部と、
前記被保持作用部が形成されて、当該筒状部の両端側部分が個々に取り付けられた一対のキャップ状部と、を有している、
ことを特徴とする請求項１記載のＬＥＤラインランプ。
【請求項３】
前記保持作用部および前記被保持作用部の一方は、
環状の歯車を備え、
前記保持作用部および前記被保持作用部の他方は、
前記環状の歯車と選択的に節度係合する係合作用部からなる、
ことを特徴とする請求項１または２記載のＬＥＤラインランプ。
【請求項４】
前記ＬＥＤ基板および前記放熱作用部は、
カシメ加工により一体化されている、
ことを特徴とする請求項１〜３のいずれかに記載のＬＥＤラインランプ。
【請求項５】
前記ＬＥＤ照明部は、
前記電源端子に供給される交流電源を整流してから周波数変換した形の高周波電源を出力する電源回路を備え、
前記ＬＥＤ素子は、
前記電源回路から前記高周波電源が供給されている、
ことを特徴とする請求項１〜４のいずれかに記載のＬＥＤラインランプ。
【考案の詳細な説明】
【技術分野】
【０００１】
本考案は、電源側に設定される固定基部にＬＥＤ照明部が回動可能な形で取り付けられたＬＥＤラインランプに関する。
【０００２】
特に電源端子側の固定基部と、これに対して回動可能なＬＥＤ照明部とを節度係合させることにより、ＬＥＤ照明部の回動状態を歯車ピッチ単位の任意位置に継続して確実に設定できるようにしたものである。
【０００３】
なお、本明細書では、第一部材の歯車谷部分と第二部材の山状部分（凸状部分）とが弾性変形可能な状態で係合して、かつ、これら第一および第二の部材間の相対的な回動の際に当該山状部分の係合対象となる谷部分がこの弾性変形作用で順次隣へ変わっていく係合態様を「節度係合」という。
【０００４】
また、ＬＥＤ照明部における、ＬＥＤ素子搭載のＬＥＤ基板およびＬＥＤ素子の放熱作用部の両部材を一体化する際にカシメ加工をほどこすことにより、例えばＬＥＤ素子の取替えの際にはＬＥＤ基板を放熱作用部から取り外し可能として、当該放熱作用部の有効利用を図れるようにしたものである。
【０００５】
また、ＬＥＤ素子への供給電源として、電源端子に供給される交流電源を整流してから変換した形の高周波電源を用いることにより、照射光のいわゆるちらつき感を目立たないようにしたものである。
【０００６】
なお、本明細書では必要に応じて、ＬＥＤラインランプの長手方向を「左右」方向とし、後述の電源端子側を「左」，ダミー電源端子側を「右」とそれぞれ記載する。前後はそれぞれ、この「左」，「右」に対する正面側（前），背面側（後）を示している。
【背景技術】
【０００７】
従来、電源側に設定される固定基部にＬＥＤ照明部が回動可能な形で取り付けられたＬＥＤラインランプが提案されている（特許文献１参照）。
【０００８】
ここでは、ＬＥＤ素子を搭載した照明基板（ＬＥＤ基板）の回動軸が固定基部に摩擦係合可能な形で取り付けられている。
【０００９】
すなわち固定基部に対して任意に設定される照明基板（ＬＥＤ基板）の回動位置は、当該照明基板の回動軸とその受け側（固定基部）との摩擦係合により保持される。
【先行技術文献】
【特許文献】
【００１０】
【特許文献１】特開２００７−１２２９３３号公報
【考案の概要】
【考案が解決しようとする課題】
【００１１】
このように従来の、電源側固定基部にＬＥＤ照明部が回動可能な形で取り付けられたＬＥＤラインランプは、ＬＥＤ照明部の任意の回動状態を、当該照明部側とその受け側との摩擦作用で保持している。
【００１２】
そのため、ＬＥＤ照明部の回動位置、すなわちＬＥＤ出力光の照射位置を所望位置に継続的に安定保持することがむずかしいという問題点があった。
【００１３】
そこで本考案では、固定基部と、回動可能なＬＥＤ照明部とを節度係合させ、これによりＬＥＤ照明部が任意の位置へ回動設定された状態の継続的な安定化を図ることを目的とする。
【００１４】
また、ＬＥＤ照明部における、ＬＥＤ素子搭載のＬＥＤ基板およびＬＥＤ素子の放熱作用部の両部材を一体化する際にカシメ加工をほどこして、例えばＬＥＤ素子の取替えの際にはＬＥＤ基板を放熱作用部から取り外し可能とし、これにより当該放熱作用部の有効利用化を図ることを目的とする。
【００１５】
また、ＬＥＤ素子への供給電源として、電源端子に供給される交流電源を整流してから周波数変換した形の高周波電源を用い、これにより照射光のいわゆるちらつき感の除去化を図ることを目的とする。
【課題を解決するための手段】
【００１６】
本考案は、以上の課題を次のようにして解決する。
（１）電源側に設定される固定基部（例えば後述の固定基部１，１'）にＬＥＤ照明部（例えば後述の鞘状キャップ３，３'，拡散板４，放熱板５，ＬＥＤ基板６，電源回路ユニット７など）が回動可能な形で取り付けられたＬＥＤラインランプにおいて、
前記固定基部は、
前記電源側のコンセントに挿し込まれる電源端子（例えば後述の電源端子１ｄ，ダミー電源端子１ｄ'）と、
前記ＬＥＤ照明部の回動位置を保持する保持作用部（例えば後述の環状保持部材２の外向き係合要素２ｄ）と、を備え、
前記回動可能なＬＥＤ照明部は、
前記保持作用部に対して選択的な回動状態で係止される被保持作用部（例えば後述の鞘状キャップ３，３'の歯車３ｄ）と、
前記電源端子から電源が供給されるＬＥＤ素子（例えば後述のＬＥＤ素子６ａ）を搭載したＬＥＤ基板（例えば後述のＬＥＤ基板６）と、
当該ＬＥＤ基板の上方側に配設された放熱作用部（例えば後述の放熱板５）と、
当該ＬＥＤ基板の下方側に配設されて、当該ＬＥＤ素子の出力光の拡散作用および白色化作用を呈する照明光調整部（例えば後述の拡散板４）と、を備え、
前記被保持作用部，前記ＬＥＤ基板，前記放熱作用部および前記照明光調整部は一体化されて、前記ＬＥＤ照明部の全体が回動し、
前記保持作用部および前記被保持作用部が節度係合している、
構成のＬＥＤラインランプを用いる。
（２）上記（１）において、
前記回動可能なＬＥＤ照明部は、
前記放熱作用部および前記照明光調整部からなる直線状の筒状部と、
前記被保持作用部が形成されて、当該筒状部の両端側部分が個々に取り付けられた一対のキャップ状部（例えば後述の鞘状キャップ３，３'）と、を有している、
構成のＬＥＤラインランプを用いる。
（３）上記（１），（２）において、
前記保持作用部および前記被保持作用部の一方は、
環状の歯車（例えば後述の歯車３ｄ）を備え、
前記保持作用部および前記被保持作用部の他方は、
前記環状の歯車と選択的に節度係合する係合作用部（例えば後述の外向き係合要素２ｄ）からなる、
構成のＬＥＤラインランプを用いる。
（４）上記（１）〜（３）において、
前記ＬＥＤ基板および前記放熱作用部は、
カシメ加工により一体化されている、
構成のＬＥＤラインランプを用いる。
（５）上記（１）〜（４）において、
前記ＬＥＤ照明部は、
前記電源端子に供給される交流電源を整流してから周波数変換した形の高周波電源を出力する電源回路（例えば後述の電源回路ユニット７）を備え、
前記ＬＥＤ素子は、
前記電源回路から前記高周波電源が供給されている、
構成のＬＥＤラインランプを用いる。
【００１７】
このような上記（１）〜（５）それぞれの構成からなるＬＥＤラインランプを本考案の対象としている。
【考案の効果】
【００１８】
本考案は以上の課題解決手段により、
(11)ＬＥＤ照明部の回動状態を歯車ピッチ単位の任意位置に継続して確実に設定する、
(12)放熱作用部の有効利用を図る、
(13)照射光のいわゆるちらつき感を目立たないようにする、
ことなどができる。
【図面の簡単な説明】
【００１９】
【図１】ＬＥＤラインランプの電源回路ユニット収容側の端部を示す断面図である。
【図２】口金側の固定基部および、当該固定基部に対して回動可能でＬＥＤユニット端部が取り付けられる鞘状キャップなどを示す説明図であり、(a)は内側固定基部を示し、(b)は内側固定基部に取り付けられる環状保持部材を示し、(c)は環状保持部材と節度係合して回動可能な鞘状キャップを示している。
【図３】ＬＥＤラインランプの全体外観を示す説明図である。
【図４】図１のＡ-Ａ'方向の端面形状（給電線７ａを除く）を示す説明図である。
【考案を実施するための形態】
【００２０】
図１〜図４を用いて本考案を実施するための形態を説明する。
【００２１】
各図で用いるアルファベット付き参照番号の構成要素（例えば外側固定基部１ａ）は原則として、当該参照番号の数字部分の構成要素（例えば固定基部１）の一部であることを示している。
【００２２】
図１〜図４において、
１，１'は左右一対の形で配設された固定基部（口金部），
１ａは当該固定基部それぞれの構成要素であってシャーレ状の外側固定基部，
１ｂは当該固定基部それぞれの構成要素であって、外側固定基部１ａにネジ止めされた円板状の内側固定基部，
１ｃは左右両端それぞれの外側固定基部１ａおよび内側固定基部１ｂを一体化するためのネジ，
１ｄは左端の外側固定基部１ａの外端面部分に形成された一対の電源端子，
１ｄ'は右端の外側固定基部１ａの外端面部分に形成された一対のダミー電源端子，
１ｅは外側固定基部１ａそれぞれの外端面部分の上下に形成された一対のネジ取付け用の凹状貫通部，
１ｆは内側固定基部１ｂの中央開口部に計四個の径方向支持部を介して設けられた内向きの中央筒状部，
１ｇは中央筒状部１ｆを構成する左右方向の計四個の片部であって、それぞれの自由端側がいわば弾性変形可能な片持ち梁状部，
１ｈは片持ち梁状部１ｇそれぞれの自由端側に形成されて、後述の起立筒状部３ｅを当該片持ち梁状部に取り付ける際の案内作用を呈するテーパ面，
１ｊは片持ち梁状部１ｇそれぞれのテーパ面１ｈに続く部分に形成されて、後述の環状段部３ｆとの係合作用を呈する周回方向段部，
１ｋは中央筒状部１ｆの外側周方向に形成されて後述の環状保持部材２を組み込むための環状空間域，
１ｍは環状空間域１ｋの内周面に周方向等間隔で設定された計三個の内向き凸状部，
１ｎは環状空間域１ｋの回りの外側平面部分の半周強にわたる下側範囲に形成されて、後述の鞘状キャップ３，３'の回動動作時の案内作用を呈する円弧形状の溝状部，
をそれぞれ示している。
【００２３】
また、
２は内側固定基部１ｂの環状空間域１ｋに組み込まれて、後述の回動基部３をその任意の回動位置に保持するための環状保持部材，
２ａは環状空間域１ｋに入り込む形状の小径筒状部，
２ｂは小径筒状部２ａにその周方向等間隔で形成されて、それぞれが内側固定基部１ｂの内向き凸状部１ｍと合致することにより周方向の位置決め作用を呈する計三個の左右方向切欠状部，
２ｃは小径筒状部２ａの連続端部（左右方向切欠状部２ｂが形成されていない環状端部）の外側に連結形成された弾性変形可能な大径環状部，
２ｄは図示のように、左右方向切欠状部２ｂのそれぞれと同じ周方向位置関係で、大径環状部２ｃに形成され、弾性変位可能な計三個の山状の外向き係合要素（保持作用部），
をそれぞれ示している。
【００２４】
また、
３，３'は内側固定基部１ｂのそれぞれに回動可能な形で取り付けられた左右一対の鞘状キャップ（キャップ状部），
３ａは当該鞘状キャップそれぞれの周面外側端部から内方に続く環天板状部，
３ｂは環天板状部３ａの表面下端側部分に形成されて、製品組立て後には内側固定基部１ｂの溝状部１ｎと係合する単一の凸状被案内部，
３ｃは環天板状部３ａの表面内径側に形成された環凹状部，
３ｄは環凹状部３ｃの大径側周面（外側周面）の全体に形成された環状の歯車（被保持作用部），
３ｅは環凹状部３ｃの内周端側に形成されて、製品組立て後には環状保持部材２の小径筒状部２ａの内側に合致状態で入り込む態様の、外向きの起立筒状部，
３ｆは起立筒状部３ｅの内周面に形成されて、製品組立て後には内側固定基部１ｂの周回方向段部１ｊとの係合作用を呈する環状段部，
３ｇは環天板状部３ａの裏面外端側に裏面上端域を除く円弧態様で形成されて、当該鞘状キャップそれぞれの筒状部内周面との間に後述の拡散板４の左右端部分を個々に係止保持するための内向きＣ形片部，
３ｈはＣ形片部３ｇの両端上部分に形成されて、後述の拡散板４および放熱板５などを一体化したいわば筒状物を当該鞘状キャップに取り付ける際に、後述の対向案内部５ｃの左右各端部と合致することにより当該筒状部および当該状キャップの周方向の相対的な位置決めを図るための起立片部，
３ｊは鞘状キャップ３の筒状部下端側に形成されて、製品組立て後の後述の電源回路ユニット７のいわば目隠し作用を呈する内向きベロー，
をそれぞれ示している。
【００２５】
また、
４は鞘状キャップ３，３'の各筒状部の内周面と当該鞘状キャップそれぞれの内向きＣ形片部３ｇとの間に保持されて、ＬＥＤ出力光の拡散作用および白色化作用を呈する断面Ｃ形直線状の拡散板（照明光調整部），
４ａは当該拡散板の上端長手方向に形成されて、後述の長手方向横溝状部５ｂへのスライド挿入により当該長手方向溝状部に係止される断面円形で直線状の被係止部分，
５は拡散板４と一体化した状態でその左右両端部分が鞘状キャップ３，３'に取り付けられる放熱板（放熱作用部），
５ａは当該放熱板の上面に形成されて放熱作用を呈する計四個の長手方向縦溝状部，
５ｂは当該放熱板の外側面上部分それぞれに形成されて拡散板４の被係止部分４ａを係止する断面オメガ形で一対の長手方向横溝状部（図４参照），
５ｃは当該放熱板の長方形状底面側の前後両端部分（長手方向）にそれぞれ形成されて、そこにスライド挿入させた後述のＬＥＤ基板６を保持するための断面コの字状の対向案内部（図４参照），
５ｄは対向案内部５ｃそれぞれの下端側直線鍔状部に形成された計六箇所（片側三箇所）のカシメ加工部分（図４参照），
をそれぞれ示している。
【００２６】
また、
６は対向案内部５ｃそれぞれ三箇所（計六箇所）のカシメ加工部分５ｄにより放熱板５に固定されたＬＥＤ基板，
６ａは当該ＬＥＤ基板にそれぞれ下向きでインライン搭載された複数のＬＥＤ素子，
７は拡散板４と放熱板５とからなる筒状部の固定基部１側の左端空間域にいわば収容されて、電源端子１ｄからの交流電源を整流後、高周波電源（例えば60000ヘルツ）に変換する回路部などを備えた電源回路ユニット（電源基板），
７ａは当該電源回路ユニットと電源端子１ｄとを接続する給電線，
７ｂは当該電源回路ユニットとＬＥＤ基板６とを接続する給電線，
をそれぞれ示している。
【００２７】
ここで、固定基部１,１'（外側固定基部１ａ，内側固定基部１ｂ），環状保持部材２，鞘状キャップ３，３'，拡散板４およびＬＥＤ基板６はポリカーボネイトなどの合成樹脂製のものである。放熱板５はアルミ製のものである。
【００２８】
また、ＬＥＤ素子６ａとしては青色発光素子に黄色の蛍光粉を被せたものを用い、拡散板４には拡散剤が設けられている。図示のＬＥＤラインランプは、この青色および黄色の混色作用によって拡散板４からの白色照射光を出力している。
【００２９】
鞘状キャップ３，３'，拡散板４，放熱板５，ＬＥＤ基板６，電源回路ユニット７などがＬＥＤ照明部を構成し、また、拡散板４および放熱板５を一体化した部材は直線状の筒状部を構成している。
【００３０】
図示のＬＥＤラインランプの基本的特徴は、
(21)鞘状キャップ３，３'と一体のＬＥＤユニット（拡散板４，放熱板５，ＬＥＤ基板６,電源回路ユニット７）が、固定基部１，１'にいわば固定された環状保持部材２の弾性変位可能な外向き係合要素２ｄと、当該鞘状キャップの歯車３ｄとの選択的な係合作用により、当該歯車のピッチ単位で回動してその任意の位置に保持されること、
(22)ＬＥＤ基板６が、放熱板５に、その対向案内部５ｃのカシメ加工（計六箇所のカシメ加工部分５ｄ）により取り付けられていること、
(23)一対の電源端子１ｄからの交流電源を電源回路ユニット７で例えば60,000ヘルツの高周波電源に変換し、この高周波電源がＬＥＤ基板６に供給されること、
などである。
【００３１】
固定基部１，環状保持部材２，鞘状キャップ３からなるいわば左側金具ユニットを組み立てるときの手順は例えば、
(31)給電線７ａを半田付けした外側固定基部１ａおよびこれに対応する内側固定基部１ｂの双方を、ネジ１ｃで、
未半田付け状態の給電線端部側が中央筒状部１ｆから飛び出した状態にて固定し、
(32)この固定後の内側固定基部１ｂの環状空間域１ｋに、環状保持部材２を、
その計三個の左右方向切欠状部２ｂがそれぞれ当該環状空間域の計三個の内向き凸状部１ｍに係合し、かつ当該環状保持部材の大径環状部２ｃが当該環状空間域の回りの（内側固定基部）平面部分に当接する態様で、組み込み、
(33)この組み込み後の内側固定基部１ｂに、鞘状キャップ３を、
その凸状被案内部３ｂが溝状部１ｎの溝長手方向の中央部分（製品組立て後の下端部分）に位置する（図１参照）、すなわち内向きベロー３ｊが当該下端部分に位置する態様で、取り付ける、
といった作業となる。
【００３２】
上記(33)の取付けに際しては、鞘状キャップ３の起立筒状部３ｅが内側固定基部１ｂの環状空間域１ｋにいわば挿し込まれていく。このとき起立筒状部３ｅは、中央筒状部１ｆの構成要素である片持ち梁状部１ｇそれぞれのテーパ面１ｈに案内されて、当該片持ち梁状部の自由端側を内方に変位させる。
【００３３】
そして、起立筒状部３ｅの環状段部３ｆが片持ち梁状部１ｇそれぞれの周方向段部１ｊを通り過ぎると、それまで内方へといわば弾性変形していた片持ち梁状部１ｇが初期位置へ復帰する。
【００３４】
この片持ち梁状部１ｇの初期位置へ復帰作用により、片持ち梁状部１ｇそれぞれの周方向段部１ｊと起立筒状部３ｅの環状段部３ｆとが係合する。
【００３５】
この周方向段部１ｊと環状段部３ｆとの係合作用により、鞘状キャップ３は、一対の電源端子１ｄを備えたに固定基部１に回動可能な形で取り付けられる。
【００３６】
すなわち、内側固定基部１ｂに取り付けられた鞘状キャップ３は、
(41)その凸状被案内部３ｂが内側固定基部１ｂの溝状部１ｎに案内され、
(42)その歯車３ｄの三箇所の谷部分がそれぞれ弾性変位可能な外向き係合要素２ｄに係止された、
回動可能状態になっている。  
【００３７】
固定基部１'，環状保持部材２，鞘状キャップ３'のいわば右側金具ユニットを組み立てるときの手順および、組立て後の鞘状キャップ３'の回動動作もそれぞれ、上述の右側金具ユニットの場合と同様である。
【００３８】
なお、電源回路ユニット７を設けない右側金具ユニットの組立ての場合、上記(31)の給電線７ａについての処理が不要となるのは勿論である。
【００３９】
このように左右の鞘状キャップ３，３'はそれぞれ、固定基部１，１'（内側固定基部１ｂ）に固定された環状保持部材２との節度係合作用により、当該鞘状キャップの歯車３ｄのピッチ単位で固定基部１，１'に対して回動可能である。
【００４０】
左右の鞘状キャップ３，３'には、照明用のＬＥＤユニット（拡散板４，放熱板５，ＬＥＤ基板６,電源回路ユニット７）の左右端部が、それぞれ固定的に取り付けられる。
【００４１】
すなわち、鞘状キャップ３，３'をそれぞれＬＥＤユニットの左右端部に組み込んだ最終製品状態のＬＥＤラインランプは、
・通常の照明用電源コンセントに取り付けられる固定基部１，１'
・当該固定基部の固定状態で配設された環状保持部材２，
・当該固定基部（当該環状保持部材）に対して歯車３ｄのピッチ単位で回動可能な鞘状キャップ３，３'
・当該鞘状キャップに固定されたＬＥＤユニット
などからなっている。
【００４２】
利用者が、固定基部１，１'に対して鞘状キャップ３，３'およびこれと一体のＬＥＤユニットを回動操作すると、歯車３ｄと係合状態の外向き係合要素２ｄは内側に弾性変位しながら歯車３ｄの山部分を順次乗り越えていく。そして回動操作をやめると、外向き係合要素２ｄはその時点での歯車３ｄの対向谷部分と係合して、鞘状キャップ３，３'などが回動操作後の位置に保持される。
【００４３】
そのため天井側などの電源コンセントに固定基部１，１'を取り付けたＬＥＤラインランプに対して、その鞘状キャップ３，３'およびＬＥＤユニットの可動部全体を回動させることにより、ＬＥＤ素子６ａの出力光の照射態様が歯車３ｄの任意の回動ピッチ数に応じる形で変化しえる。
【００４４】
なお、長方形状のＬＥＤ基板６の各長辺側部分は、放熱板５の対向案内部５ｃそれぞれの三箇所（計六箇所）におけるカシメ加工により固定されている（図４のカシメ加工部分５ｄ参照）。
【００４５】
鞘状キャップ３をＬＥＤユニットの左端部に取り付ける際の作業手順は例えば、
(51)電源端子１ｄの給電線７ａの未半田側端部を電源回路ユニット７に半田付けし、
(52)電源回路ユニット７の給電線７ｂの未半田側端部をＬＥＤ基板６に半田付けし、
(53)その後、放熱板５の長手方向横溝状部５ｂにその右端部（電源回路ユニット７がセットされない側の端部）から拡散板４の直線状の被係止部分４ａをスライド挿入して、この拡散板４および放熱板５（ＬＥＤ基板６）からなる筒状ユニットを形成し、
(54)この筒状ユニットの左端側内部空間域に電源回路ユニット７をいわば装填し、
(55)この装填後の筒状ユニットの左端側に、鞘状キャップ３を、当該鞘状キャップの起立辺部３ｈが放熱板５の対向案内部５ｃに合致する周方向位置関係で押し込む、すなわち当該筒状ユニットの左端側にいわば被せた鞘状キャップ３を押しながら回動させる、
といった手順になる。
【００４６】
鞘状キャップ３'をＬＥＤユニットの右端部に取り付けるには、上記(55)と同様の周方向位置関係で当該鞘状キャップを当該右端部に押し込めばよい。
【００４７】
本考案が以上の実施形態に限定されないことは勿論であり例えば、
(61)ＬＥＤユニットの右端側にも電源回路ユニット７を設けて、鞘状キャップ３'に電源端子を形成する、
(62)環状保持部材２の外向き係合要素２ｄに代えて環状の歯車を形成し、かつ、鞘状キャップ３，３'の歯車３ｄに代えて、外向き係合要素２ｄと同様の節度係合機能を備えた係合要素を形成する、
(63)拡散板４および放熱板５の全体を一体化された筒状部形状とせずに、当該拡散板と当該放熱板とをそれぞれ独立した個別部材の形で鞘状キャップ３，３'に取り付ける、
(64)外向き係合要素２ｄの代わりに、歯車３ｄを弾性変位可能とする、
(65)外向き係合要素２ｄおよび歯車３ｄの何れも弾性変位可能とする、
などのようにしてもよい。
【符号の説明】
【００４８】
１，１'：固定基部（口金部）
１ａ：外側固定基部
１ｂ：内側固定基部
１ｃ：ネジ
１ｄ：一対の電源端子
１ｄ'：一対のダミー電源端子
１ｅ：一対のネジ取付け用の凹状貫通部
１ｆ：中央筒状部
１ｇ：片持ち梁状部
１ｈ：テーパ面
１ｊ：周回方向段部
１ｋ：環状空間域
１ｍ：計三個の内向き凸状部
１ｎ：溝状部
【００４９】
２：環状保持部材
２ａ：小径筒状部
２ｂ：計三個の左右方向切欠状部
２ｃ：大径環状部
２ｄ：計三個の山状の外向き係合要素
【００５０】
３，３'：一対の鞘状キャップ
３ａ：環天板状部
３ｂ：凸状被案内部
３ｃ：環凹状部
３ｄ：歯車
３ｅ：起立筒状部
３ｆ：環状段部
３ｇ：Ｃ形片部
３ｈ：起立片部
３ｊ：内向きベロー
【００５１】
４：断面Ｃ形直線状の拡散板
４ａ：被係止部分
５：放熱板
５ａ：計四個の長手方向縦溝状部
５ｂ：一対の長手方向横溝状部（図４参照）
５ｃ：対向案内部（図４参照）
５ｄ：カシメ加工部分（図４参照）
【００５２】
６：ＬＥＤ基板
６ａ：複数のＬＥＤ素子
７：電源回路ユニット（電源基板）
７ａ：給電線
７ｂ：給電線
【図１】
0003176594.tif 000003
【図２】
0003176594.tif 000004
【図３】
0003176594.tif 000005
【図４】
0003176594.tif 000006
【手続補正書】
【提出日】平成24年4月12日(2012.4.12)
【手続補正１】
【補正対象書類名】実用新案登録請求の範囲
【補正対象項目名】全文
【補正方法】変更
【補正の内容】
【実用新案登録請求の範囲】
【請求項１】
電源側に設定される固定基部にＬＥＤ照明部が回動可能な形で取り付けられたＬＥＤラインランプにおいて、
前記固定基部は、
前記電源側のコンセントに挿し込まれる電源端子と、
前記ＬＥＤ照明部の回動位置を保持する保持作用部と、を備え、
前記回動可能なＬＥＤ照明部は、
前記保持作用部に対して選択的な回動状態で係止される被保持作用部と、
前記電源端子から電源が供給されるＬＥＤ素子を搭載したＬＥＤ基板と、
当該ＬＥＤ基板の上方側に配設された放熱作用部と、
当該ＬＥＤ基板の下方側に配設されて、当該ＬＥＤ素子の出力光の拡散作用および白色化作用を呈する照明光調整部と、を備え、
前記被保持作用部，前記ＬＥＤ基板，前記放熱作用部および前記照明光調整部は一体化されて、前記ＬＥＤ照明部の全体が回動し、
前記保持作用部および前記被保持作用部が節度係合している、
ことを特徴とするＬＥＤラインランプ。
【請求項２】
前記回動可能なＬＥＤ照明部は、
前記放熱作用部および前記照明光調整部からなる直線状の筒状部と、
前記被保持作用部が形成されて、当該筒状部の両端側部分が個々に取り付けられた一対のキャップ状部と、を有している、
ことを特徴とする請求項１記載のＬＥＤラインランプ。
【請求項３】
前記保持作用部および前記被保持作用部の一方は、
環状の歯車を備え、
前記保持作用部および前記被保持作用部の他方は、
前記環状の歯車と選択的に節度係合する係合作用部からなる、
ことを特徴とする請求項１または２記載のＬＥＤラインランプ。
【請求項４】
前記ＬＥＤ基板および前記放熱作用部は、
カシメ加工により一体化されている、
ことを特徴とする請求項１〜３のいずれかに記載のＬＥＤラインランプ。
【請求項５】
前記ＬＥＤ照明部は、
前記電源端子に供給される交流電源を整流してから周波数変換した形の高周波電源を出力する電源回路を備え、
前記ＬＥＤ素子は、
前記電源回路から前記高周波電源が供給されている、
ことを特徴とする請求項１〜４のいずれかに記載のＬＥＤラインランプ。